(57)【要約】      （修正有）【課題】駐車場と店舗のサービスチケット売買をマッチングする駐車場店舗マッチングシステムを提供する。【解決手段】複数の駐車場のそれぞれに対応する複数の駐車場サーバと、複数の店舗のそれぞれに対応する複数の店舗サーバと通信する管理サーバ１２であって、駐車場サーバから、対応する駐車場の利用料金を割り引くまたは無料とするサービスチケットの単価に関する情報である単価情報を受信する単価情報受信部１２１と、受信した単価情報に基づいて、対応する複数の駐車場の単価情報の一覧を生成して店舗サーバに公開する一覧生成公開部１２２と、店舗サーバから、一覧のうちの何れかの駐車場とサービスチケットの購入を契約する情報である契約情報を受信する契約情報受信部１２３と、契約情報を対応する駐車場サーバに送信する契約情報送信部１２４を含む。【選択図】図４
2020187607.tif 000002
【特許請求の範囲】
【請求項１】
複数の駐車場のそれぞれに対応する複数の駐車場サーバと、管理サーバと、複数の店舗のそれぞれに対応する複数の店舗サーバを含む駐車場店舗マッチングシステムであって、
前記駐車場サーバは、
対応する駐車場の利用料金を割り引くまたは無料とするサービスチケットの単価に関する情報である単価情報を生成して前記管理サーバに送信する単価情報生成送信部を含み、
前記管理サーバは、
前記単価情報を受信する単価情報受信部と、
受信した前記単価情報に基づいて、対応する複数の駐車場の前記単価情報の一覧を生成して前記店舗サーバに公開する一覧生成公開部を含み、
前記店舗サーバは、
前記一覧を受信する一覧受信部と、
前記一覧のうちの何れかの前記駐車場と前記サービスチケットの購入を契約する情報である契約情報を生成して前記管理サーバに送信する契約情報生成送信部を含み、
前記管理サーバは、
前記契約情報を受信する契約情報受信部と、
前記契約情報を対応する前記駐車場サーバに送信する契約情報送信部を含む
駐車場店舗マッチングシステム。
【請求項２】
請求項１に記載の駐車場店舗マッチングシステムであって、
前記単価情報生成送信部は、
対応する前記駐車場の情報であって前記単価情報の相場に影響する情報である駐車場情報を生成して、前記駐車場情報を前記単価情報とともに前記管理サーバに送信し、
前記一覧生成公開部は、
受信した前記単価情報と前記駐車場情報に基づいて、対応する複数の駐車場の前記単価情報と前記駐車場情報の一覧を生成して前記店舗サーバに公開する
駐車場店舗マッチングシステム。
【請求項３】
請求項１または２に記載の駐車場店舗マッチングシステムであって、
前記単価情報生成送信部は、
前記単価情報を公開する前記店舗サーバを指定した情報である公開範囲情報を生成して、前記公開範囲情報を前記単価情報とともに前記管理サーバに送信し、
前記一覧生成公開部は、
前記公開範囲情報において指定されている前記店舗サーバにのみ、前記一覧を公開する
駐車場店舗マッチングシステム。
【請求項４】
請求項１から３の何れかに記載の駐車場店舗マッチングシステムであって、
前記単価情報生成送信部は、
前記単価情報の更新に関する情報である更新情報を前記管理サーバに送信し、
前記単価情報受信部は、
前記更新情報を受信し、
前記一覧生成公開部は、
受信した前記更新情報に基づいて、前記一覧を更新して前記店舗サーバに公開し、
前記一覧受信部は、
更新された前記一覧を受信し、
前記契約情報生成送信部は、
更新後の単価の前記サービスチケットの購入を継続するか、解約するか、開始するかの情報である継続／解約／開始情報を生成して前記管理サーバに送信し、
前記契約情報受信部は、
前記継続／解約／開始情報を受信し、
前記契約情報送信部は、
前記継続／解約／開始情報を対応する前記駐車場サーバに送信する
駐車場店舗マッチングシステム。
【請求項５】
複数の駐車場のそれぞれに対応する複数の駐車場サーバと、複数の店舗のそれぞれに対応する複数の店舗サーバと通信する管理サーバであって、
前記駐車場サーバから、対応する駐車場の利用料金を割り引くまたは無料とするサービスチケットの単価に関する情報である単価情報を受信する単価情報受信部と、
受信した前記単価情報に基づいて、対応する複数の駐車場の前記単価情報の一覧を生成して前記店舗サーバに公開する一覧生成公開部と、
前記店舗サーバから、前記一覧のうちの何れかの前記駐車場と前記サービスチケットの購入を契約する情報である契約情報を受信する契約情報受信部と、
前記契約情報を対応する前記駐車場サーバに送信する契約情報送信部を含む
管理サーバ。
【請求項６】
請求項５に記載の管理サーバであって、
前記単価情報受信部は、
前記単価情報とともに、対応する前記駐車場の情報であって前記単価情報の相場に影響する情報である駐車場情報を受信し、
前記一覧生成公開部は、
受信した前記単価情報と前記駐車場情報に基づいて、対応する複数の駐車場の前記単価情報と前記駐車場情報の一覧を生成して前記店舗サーバに公開する
管理サーバ。
【請求項７】
請求項５または６に記載の管理サーバであって、
前記単価情報受信部は、
前記単価情報とともに、前記単価情報を公開する前記店舗サーバを指定した情報である公開範囲情報受信し、
前記一覧生成公開部は、
前記公開範囲情報において指定されている前記店舗サーバにのみ、前記一覧を公開する
管理サーバ。
【請求項８】
請求項５から７の何れかに記載の管理サーバであって、
前記単価情報受信部は、
前記単価情報の更新に関する情報である更新情報を受信し、
前記一覧生成公開部は、
受信した前記更新情報に基づいて、前記一覧を更新して前記店舗サーバに公開し、
前記契約情報受信部は、
更新後の単価の前記サービスチケットの購入を継続するか、解約するか、開始するかの情報である継続／解約／開始情報を受信し、
前記契約情報送信部は、
前記継続／解約／開始情報を対応する前記駐車場サーバに送信する
管理サーバ。
【請求項９】
複数の店舗のそれぞれに対応する複数の店舗サーバと、複数の駐車場のそれぞれに対応する複数の駐車場サーバと通信する管理サーバであって、
前記店舗サーバから、対応する店舗がその顧客に実施している、または実施する予定のサービスであって、駐車料金に関するサービスの情報である顧客サービス情報を受信する顧客サービス情報受信部と、
受信した前記顧客サービス情報に基づいて、対応する複数の店舗の前記顧客サービス情報の一覧を生成して前記駐車場サーバに公開する一覧生成公開部と、
前記駐車場サーバから、前記一覧のうちの何れかの前記店舗と、駐車場の利用料金を割り引くまたは無料とするサービスチケットの売買に関するアポイントメントを要求する情報であるアポイントメント情報を受信するアポイントメント情報受信部と、
前記アポイントメント情報を対応する前記店舗サーバに送信するアポイントメント情報送信部を含む
管理サーバ。
【請求項１０】
複数の店舗のそれぞれに対応する複数の店舗サーバと、複数の駐車場のそれぞれに対応する複数の駐車場サーバと通信する管理サーバであって、
前記店舗サーバから、駐車場の利用料金を割り引くまたは無料とするサービスチケットの希望単価に関する情報である単価情報を受信する単価情報受信部と、
受信した前記単価情報に基づいて、対応する複数の店舗の前記単価情報の一覧を生成して前記駐車場サーバに公開する一覧生成公開部と、
前記駐車場サーバから、前記一覧のうちの何れかの前記店舗と前記サービスチケットの販売を契約する情報である契約情報を受信する契約情報受信部と、
前記契約情報を対応する前記店舗サーバに送信する契約情報送信部を含む
管理サーバ。
【請求項１１】
コンピュータを請求項５から１０の何れかに記載の管理サーバとして機能させるプログラム。
【発明の詳細な説明】
【技術分野】
【０００１】
本発明は、駐車場と店舗のサービスチケット売買をマッチングする駐車場店舗マッチングシステム、管理サーバ、プログラムに関する。
【背景技術】
【０００２】
時間貸しの駐車場では通常、サービスチケット（駐車サービス券）を販売している（例えば非特許文献１）。サービスチケットを使用することで、駐車料金が無料となるか、所定額割り引かれる。
【０００３】
一方、店舗は商品を購入したりサービスの対価を支払った顧客に対して、販促手段としてサービスチケットを配布する場合がある。例えば店舗は、３０００円分の商品を購入した顧客に１時間分のサービスチケットを配布し、５０００円分の商品を購入した顧客に２時間分のサービスチケットを配布する場合がある。店舗が駐車場を所有している場合には、店舗はサービスチケットを自前で用意することができる。一方、店舗が駐車場を所有していない場合には、該当する店舗は他の駐車場と提携し、該当する駐車場の運営会社からサービスチケットを購入する場合がある。
【先行技術文献】
【非特許文献】
【０００４】
【非特許文献１】三井不動産リアルティ、“駐車サービス券のご購入について”、［online］、［平成 31年 4月 22日検索］、インターネット<URL:https://www.repark.jp/parking_user/time/ticket_service/about/>
【発明の概要】
【発明が解決しようとする課題】
【０００５】
店舗はこれまで提携していなかった駐車場と新たに提携すれば、顧客の利便性を高めることができる場合があり、またサービスチケットを現状より安価で購入できる可能性がある。一方、駐車場はいままで提携していなかった店舗と新たに提携することにより、空室率を減少させることができ、売り上げが増加する可能性がある。しかしながら、店舗から少し離れた場所にある駐車場に関してはお互いにビジネスパートナーとなり得ることが認知できていない場合もあり、このような店舗と駐車場が提携することは難しかった。
【０００６】
そこで本発明では、駐車場と店舗のサービスチケット売買をマッチングする駐車場店舗マッチングシステムを提供することを目的とする。
【課題を解決するための手段】
【０００７】
本発明の駐車場店舗マッチングシステムは、複数の駐車場のそれぞれに対応する複数の駐車場サーバと、管理サーバと、複数の店舗のそれぞれに対応する複数の店舗サーバを含む。駐車場サーバは、単価情報生成送信部を含む。管理サーバは、単価情報受信部と、一覧生成公開部と、契約情報受信部と、契約情報送信部を含む。店舗サーバは、一覧受信部と、契約情報生成送信部を含む。
【０００８】
駐車場サーバの単価情報生成送信部は、対応する駐車場の利用料金を割り引くまたは無料とするサービスチケットの単価に関する情報である単価情報を生成して管理サーバに送信する。管理サーバの単価情報受信部は、単価情報を受信する。管理サーバの一覧生成公開部は、受信した単価情報に基づいて、対応する複数の駐車場の単価情報の一覧を生成して店舗サーバに公開する。店舗サーバの一覧受信部は、一覧を受信する。店舗サーバの契約情報生成送信部は、一覧のうちの何れかの駐車場とサービスチケットの購入を契約する情報である契約情報を生成して管理サーバに送信する。管理サーバの契約情報受信部は、契約情報を受信する。管理サーバの契約情報送信部は、契約情報を対応する駐車場サーバに送信する。
【発明の効果】
【０００９】
本発明の駐車場店舗マッチングシステムによれば、駐車場と店舗のサービスチケット売買をマッチングすることができる。
【図面の簡単な説明】
【００１０】
【図１】実施例１の駐車場店舗マッチングシステムの第１の概要図。
【図２】実施例１の駐車場店舗マッチングシステムの第２の概要図。
【図３】実施例１の駐車場サーバの構成を示すブロック図。
【図４】実施例１の管理サーバの構成を示すブロック図。
【図５】実施例１の店舗サーバの構成を示すブロック図。
【図６】実施例１の駐車場店舗マッチングシステムの第１のシーケンス図。
【図７】実施例１の駐車場店舗マッチングシステムの第２のシーケンス図。
【図８】実施例２の駐車場店舗マッチングシステムの概要図。
【図９】実施例２の店舗サーバの構成を示すブロック図。
【図１０】実施例２の管理サーバの構成を示すブロック図。
【図１１】実施例２の駐車場サーバの構成を示すブロック図。
【図１２】実施例２の駐車場店舗マッチングシステムのシーケンス図。
【図１３】実施例３の駐車場店舗マッチングシステムの概要図。
【発明を実施するための形態】
【００１１】
以下、本発明の実施の形態について、詳細に説明する。なお、同じ機能を有する構成部には同じ番号を付し、重複説明を省略する。
【実施例１】
【００１２】
以下、図１を参照して実施例１の駐車場店舗マッチングシステムの大まかな構成と契約処理の概要を説明する。同図に示すように、本実施例の駐車場店舗マッチングシステム１は、複数の駐車場のそれぞれに対応する複数の駐車場サーバ１１−１，…，１１−Ｎ（Ｎは２以上の整数）と、管理サーバ１２と、複数の店舗のそれぞれに対応する複数の店舗サーバ１３−１，…，１３−Ｍ（Ｍは２以上の整数）を含む。
【００１３】
同図に示すように、駐車場サーバ１１−１，…，１１−Ｎは、単価情報を生成して管理サーバ１２に送信し、管理サーバ１２は、この単価情報の一覧を店舗サーバに公開する。単価情報とは、対応する駐車場のサービスチケットの単価に関する情報である。前述したようにサービスチケットとは、対応する駐車場の利用料金を割り引くまたは無料とするチケットのことである。同図の例では、駐車場サーバ１１−１が販売するサービスチケットの単価は、１時間あたり２００円であり、駐車場サーバ１１−２が販売するサービスチケットの単価は、１時間あたり４００円となっている。
【００１４】
同図に示すように、単価情報には駐車場情報をセットにすることができる。駐車場情報とは、駐車場の情報であって単価情報の相場に影響する情報である。同図の例では駐車場情報として、駐車場の立地の情報、収容台数（最大）の情報、駐車場にルーフが付いているか否かの情報が含まれている。店舗の担当者は、単価情報とともに駐車場情報を確認することで、チケット単価と駐車場のスペックを比較考量し、該当の駐車場と契約を結ぶか否かを検討することができる。
【００１５】
また同図に示すように、単価情報には公開範囲情報をセットにすることもできる。公開範囲情報とは、単価情報を公開する店舗サーバを指定した情報である。例えば、公開範囲情報において店舗サーバ１３−１と、店舗サーバ１３−２のみが指定されている場合、対応する単価情報、駐車場情報は、店舗サーバ１３−１、店舗サーバ１３−２のみが閲覧することができ、店舗サーバ１３−３などは、該当の単価情報、駐車場情報を閲覧できない。公開範囲情報は、駐車場が店舗に応じてサービスチケットの単価を変更したい場合に有効である。
【００１６】
同図の例では、駐車場サーバ１１−１が設定した単価情報（２００円／Ｈ）に対して、店舗サーバ１３−１、１３−２、１３−３が契約を結び、駐車場サーバ１１−２が設定した単価情報（４００円／Ｈ）に対して、店舗サーバ１３−１が契約を結んでいる（同図の実線矢印）。
【００１７】
以下、図２を参照して本実施例の駐車場店舗マッチングシステム１の単価更新処理の概要を説明する。図１で示した単価情報の公開とこれに基づく契約処理が行われた場合、契約に基づいた運用（設定した単価によるサービスチケットの継続的な取引）が開始されるが、最初に設定した単価を駐車場が見直して改定、更新したいというニーズが発生する場合がある。駐車場が単価を改定、更新したいと考えるケースとして例えば、単価を安く設定しすぎた結果、複数の店舗と契約できたものの、契約した店舗の利用者（顧客）の人数と比較して収容台数が少なかったため常に満車状態が続き、上記の単価よりも少し高価に単価を設定した場合と比較して売り上げが低くなってしまう場合などが考えられる。反対に、単価を高く設定しすぎた結果、少数の店舗としか契約できず、常に空き車室が多い状態となってしまい、上記の単価よりも少し安価に単価を設定した場合と比較して売り上げが低くなってしまう場合などが考えられる。
【００１８】
本実施例の駐車場店舗マッチングシステム１は上記のような駐車場側の更新ニーズに応えるために、単価を更新する処理を実行できるように構成されている。同図に示すように、駐車場サーバ１１−１，…，１１−Ｎは、所定の期間（例えば１ヶ月、３ヶ月、６か月、…など）ごとに単価情報の更新情報を生成して管理サーバ１２に送信し、管理サーバ１２は、更新された単価情報の一覧を店舗サーバ１３−１，…，１３−Ｍに公開する。更新情報とは単価情報の更新に関する情報である。同図の例では、駐車場サーバ１１−１が販売するサービスチケットの単価は、２００円／Ｈから２５０円／Ｈに更新されており、駐車場サーバ１１−２が販売するサービスチケットの単価は、４００円／Ｈから３５０円／Ｈに更新されている（同図の下線部）。これに伴い、同図の例では、店舗サーバ１３−２は駐車場サーバ１１−１との契約を解約している（同図の破線矢印）。また更新に伴い、店舗サーバ１３−２は駐車場サーバ１１−２とあらたに契約を開始している（同図の一点鎖線矢印）。
【００１９】
本実施例の駐車場店舗マッチングシステム１によれば、図１、図２に開示した処理により、駐車場と店舗のサービスチケット売買をマッチングすることができる。また、更新処理によって、市場原理に基づいて単価が調整されるため、市場原理に基づいた単価での取引が実現し、ビジネスのチャンスを拡大することができる。
【００２０】
以下、本実施例の駐車場店舗マッチングシステム１を構成する各装置の詳細な構成について説明する。なお、駐車場サーバ１１−ｎという呼称は、全ての枝番号の駐車場サーバ１１−１、…１１−Ｎにおいて共通する特徴を述べる時の表現である。すなわちｎ＝１，…，Ｎである。同様に、店舗サーバ１３−ｍという呼称は、全ての枝番号の店舗サーバ１３−１、…１３−Ｍにおいて共通する特徴を述べる時に用いる。。すなわちｍ＝１，…，Ｍである。
【００２１】
＜駐車場サーバ１１−ｎの詳細な構成＞
図３に示すように駐車場サーバ１１−ｎは、データ記憶部１１０と、単価情報生成送信部１１１と、契約情報受信部１１２と、承認情報生成送信部１１３を含む。
【００２２】
＜管理サーバ１２の詳細な構成＞
図４に示すように管理サーバ１２は、データ記憶部１２０と、単価情報受信部１２１と、一覧生成公開部１２２と、契約情報受信部１２３と、契約情報送信部１２４と、承認情報受信部１２５と、承認情報送信部１２６と、提携情報公開部１２７を含む。
【００２３】
＜店舗サーバ１３−ｍの詳細な構成＞
図５に示すように店舗サーバ１３−ｍは、データ記憶部１３０と、一覧受信部１３１と、契約情報生成送信部１３２と、承認情報受信部１３３を含む。
【００２４】
以下、本実施例の駐車場店舗マッチングシステム１の詳細な動作について説明する。なお、以下の動作の説明では、駐車場サーバ１１−ｎ（ｎは１，…，Ｎの何れか）が設定した単価に対して、店舗サーバ１３−ｍ（ｍは１，…，Ｍの何れか）が契約を結ぶ場合、駐車場サーバ１１−ｎ（ｎは１，…，Ｎの何れか）が更新した単価に対して、店舗サーバ１３−ｍ（ｍは１，…，Ｍの何れか）が契約の継続／解約／開始の何れかを実行する場合についてそれぞれ説明する。
【００２５】
＜駐車場店舗マッチングシステム１の詳細な動作（契約処理）＞
図６に示すように、駐車場サーバ１１−ｎの単価情報生成送信部１１１は、対応する駐車場の利用料金を割り引くまたは無料とするサービスチケットの単価に関する情報である単価情報を生成して管理サーバ１２に送信する（Ｓ１１１Ａ）。管理サーバ１２の単価情報受信部１２１は、単価情報を受信する（Ｓ１２１Ａ）。管理サーバ１２の一覧生成公開部１２２は、受信した単価情報に基づいて、対応する複数の駐車場の単価情報の一覧を生成して店舗サーバ１３−ｍに公開する（１２２Ａ）。なお、管理サーバ１２の一覧生成公開部１２２は、単価情報と共にこれに対応する駐車場情報を受信した場合には、対応する複数の駐車場の単価情報と駐車場情報の一覧を生成して店舗サーバ１３−ｍに公開する。また、管理サーバ１２の一覧生成公開部１２２は、単価情報と共にこれに対応する公開範囲情報を受信した場合には、公開範囲情報において指定されている店舗サーバにのみ、一覧を公開する。単価情報と駐車場情報と公開範囲情報の組み合わせ例について、下表に示す。
【００２６】
【表１】
2020187607.tif 000003
【００２７】
表に示す例では、駐車場１について、店舗サーバ１３−１、１３−２には、単価２００円／Ｈが公開され、店舗サーバ１３−３には、単価３００円／Ｈが公開されている。このように公開範囲情報を用いることにより、駐車場は店舗に応じて異なる単価を設定することができる。
【００２８】
店舗サーバ１３−ｍの一覧受信部１３１は、一覧を受信する（Ｓ１３１Ａ）。店舗サーバ１３−ｍの契約情報生成送信部１３２は、一覧のうちの何れかの駐車場（駐車場サーバ１１−ｎに対応する駐車場）とサービスチケットの購入を契約する情報である契約情報を生成して管理サーバ１２に送信する（Ｓ１３２Ａ）。管理サーバ１２の契約情報受信部１２３は、契約情報を受信する（Ｓ１２３Ａ）。管理サーバ１２の契約情報送信部１２４は、契約情報を対応する駐車場サーバ１１−ｎに送信する（Ｓ１２４Ａ）。駐車場サーバ１１−ｎの契約情報受信部１１２は、契約情報を受信する（Ｓ１１２Ａ）。駐車場サーバ１１−ｎの承認情報生成送信部１１３は、契約情報を承認することを示す承認情報を生成して、管理サーバ１２に送信する（Ｓ１１３Ａ）。管理サーバ１２の承認情報受信部１２５は、承認情報を受信する（Ｓ１２５Ａ）。管理サーバ１２の承認情報送信部１２６は、店舗サーバ１３−ｍに承認情報を送信する（Ｓ１２６Ａ）。店舗サーバ１３−ｍの承認情報受信部１３３は、承認情報を受信する（Ｓ１３３Ａ）。
【００２９】
駐車場サーバ１１−ｎのデータ記憶部１１０は、上記フローを実行して得られた単価情報、契約情報、承認情報などを適宜記憶する。管理サーバ１２の記憶部１２０は、上記フローを実行して得られた単価情報、その一覧、契約情報、承認情報などを適宜記憶する。店舗サーバ１３−ｍの記憶部１３０は、上記フローを実行して得られた単価情報の一覧、契約情報、承認情報などを適宜記憶する。
【００３０】
＜駐車場店舗マッチングシステム１の詳細な動作（更新処理）＞
以下、図７を参照して単価更新処理の詳細を説明する。同図に示すように、駐車場サーバ１１−ｎの単価情報生成送信部１１１は、単価情報の更新に関する情報である更新情報を管理サーバ１２に送信する（Ｓ１１１Ｂ）。管理サーバ１２の単価情報受信部１２１は、更新情報を受信する（Ｓ１２１Ｂ）。管理サーバ１２の一覧生成公開部１２２は、受信した更新情報に基づいて、一覧を更新して店舗サーバ１３−ｍに公開する（Ｓ１２２Ｂ）。店舗サーバ１３−ｍの一覧受信部１３１は、更新された一覧を受信する（Ｓ１３１Ｂ）。店舗サーバ１３−ｍの契約情報生成送信部１３２は、更新後の単価のサービスチケットの購入を継続するか、解約するか、開始するかの情報である継続／解約／開始情報を生成して管理サーバ１２に送信する（Ｓ１３２Ｂ）。管理サーバ１２の契約情報受信部１２３は、継続／解約／開始情報を受信する（Ｓ１２３Ｂ）。管理サーバ１２の契約情報送信部１２４は、継続／解約／開始情報を対応する駐車場サーバ１１−ｎに送信する（Ｓ１２４Ｂ）。駐車場サーバ１１−ｎの契約情報受信部１１２は、継続／解約／開始情報を受信する（Ｓ１１２Ｂ）。駐車場サーバ１１−ｎの承認情報生成送信部１１３は、継続／解約／開始情報を承認することを示す承認情報を生成して、管理サーバ１２に送信する（Ｓ１１３Ｂ）。管理サーバ１２の承認情報受信部１２５は、承認情報を受信する（Ｓ１２５Ｂ）。管理サーバ１２の承認情報送信部１２６は、店舗サーバ１３−ｍに承認情報を送信する（Ｓ１２６Ｂ）。店舗サーバ１３−ｍの承認情報受信部１３３は、承認情報を受信する（Ｓ１３３Ｂ）。
【００３１】
＜ユーザへの情報表示＞
管理サーバ１２の提携情報公開部１２７は、どの駐車場とどの店舗が提携関係にあるかを示す提携情報を本システムのユーザの端末（ユーザ端末）向けに公開してもよい。提携情報の例について、下表に示す。
【００３２】
【表２】
2020187607.tif 000004
【００３３】
店舗と駐車場があらたに契約を交わす（図６のフロー）たびに、提携情報公開部１２７は提携情報を更新して、更新後の提携情報をユーザ端末向けに公開する。
【００３４】
また、上述したように、所定の期間（例えば１ヶ月、３ヶ月、６か月、…など）ごとに単価情報の更新（図７のフロー）が実行される。単価情報の更新が実行されるたびに、提携情報公開部１２７は提携情報を更新して、更新後の提携情報をユーザ端末向けに公開する。
【実施例２】
【００３５】
図８に示すように、店舗がその顧客に実施している、または実施する予定のサービスであって、駐車料金に関するサービスの内容を、店舗サーバが駐車場サーバに提示することにより、駐車場と店舗のマッチングが行われるようにしてもよい。同図に示すように、実施例２の駐車場店舗マッチングシステム２は、複数の店舗のそれぞれに対応する複数の店舗サーバ２１−１，…，２１−Ｎ（Ｎは２以上の整数）と、管理サーバ２２と、複数の駐車場のそれぞれに対応する複数の駐車場サーバ２３−１，…，２３−Ｍ（Ｍは２以上の整数）を含む。
【００３６】
同図に示すように、店舗サーバ２１−１，…，２１−Ｎは、顧客サービス情報を生成して管理サーバ２２に送信し、管理サーバ２２は、この顧客サービス情報の一覧を駐車場サーバに公開する。顧客サービス情報とは、対応する店舗において、その顧客に実施している、または実施する予定のサービスであって、駐車料金に関するサービスの内容である。例えば、該当店舗においてＸ円購入した場合、ｔ時間分の駐車料金を無料（店舗側負担）とする取り決めがこれに該当する。同図の例では、店舗サーバ２１−１が提示する顧客サービス情報として、該当する店舗に顧客が３０００円支払った場合に、当該顧客の駐車料金を１時間分無料（店舗側負担）とすることが決められている。また、店舗サーバ２１−２が提示する顧客サービス情報として、該当する店舗に顧客が２０００円支払った場合に、当該顧客の駐車料金を１時間分無料（店舗側負担）とすることが決められている。
【００３７】
同図に示すように、顧客サービス情報には店舗情報をセットにすることができる。店舗情報とは、店舗に関する情報であって駐車場が当該店舗とアポイントメント（後述）をするか否かを判断するために役立つ情報である。同図の例では店舗情報として、店名、業種、立地などが含まれている。駐車場の担当者は、顧客サービス情報を確認することで、店舗側がどの程度の価格でサービスチケットを購入しようとしているかを推定することができる。例えば、顧客が１０００円支払うと、駐車場の利用料金が１時間分無料になる場合であって、店舗が１時間分のサービスチケットを１００円で仕入れた場合には、サービスチケットの価格は売上全体に対し１０％を占めることになるが、顧客が２０００円支払うと、駐車場の利用料金が１時間分無料になる場合であって、店舗が１時間分のサービスチケットを１００円で仕入れた場合には、サービスチケットの価格は売上全体に対し５％を占めることになる。このように、一見無関係に見える顧客と店舗の取り決めから、店舗側のサービスチケット希望単価が類推可能な場合がある。また、駐車場の担当者は、顧客サービス情報とともに店舗情報を確認して、対象の店舗の店名が著名であるか、対象の店舗の業種の利益率が高いか否かなども含め、該当の店舗とアポイントメント（後述）を取るか否かを検討することができる。
【００３８】
また同図に示すように、顧客サービス情報には公開範囲情報をセットにすることもできる。公開範囲情報とは、顧客サービス情報を公開する駐車場サーバを指定した情報である。例えば、公開範囲情報において駐車場サーバ２３−１と、駐車場サーバ２３−２のみが指定されている場合、対応する顧客サービス情報、店舗情報は、駐車場サーバ２３−１、駐車場サーバ２３−２のみが閲覧することができ、駐車場サーバ２３−３などは、該当の顧客サービス情報、店舗情報を閲覧できない。
【００３９】
同図の例では、店舗サーバ２１−１が設定した顧客サービス情報（３０００円→１時間）に対して、駐車場サーバ２３−１、２３−２、２３−３がアポイントメントを要求し、店舗サーバ２１−２が設定した顧客サービス情報（２０００円→１時間）に対して、駐車場サーバ２３−１がアポイントメントを要求している（同図の実線矢印）。
【００４０】
＜店舗サーバ２１−ｎの詳細な構成＞
図９に示すように店舗サーバ２１−ｎは、データ記憶部２１０と、顧客サービス情報生成送信部２１１と、アポイントメント情報受信部２１２と、承認情報生成送信部２１３を含む。
【００４１】
＜管理サーバ２２の詳細な構成＞
図１０に示すように管理サーバ２２は、データ記憶部２２０と、顧客サービス情報受信部２２１と、一覧生成公開部２２２と、アポイントメント情報受信部２２３と、アポイントメント情報送信部２２４と、承認情報受信部２２５と、承認情報送信部２２６と、提携情報公開部２２７を含む。
【００４２】
＜駐車場サーバ２３−ｍの詳細な構成＞
図１１に示すように駐車場サーバ２３−ｍは、データ記憶部２３０と、一覧受信部２３１と、アポイントメント情報生成送信部２３２と、承認情報受信部２３３を含む。
【００４３】
以下、本実施例の駐車場店舗マッチングシステム２の詳細な動作について説明する。
＜駐車場店舗マッチングシステム２の詳細な動作（アポイントメント処理）＞
図１２に示すように、店舗サーバ２１−ｎの顧客サービス情報生成送信部２１１は、対応する店舗がその顧客に実施している、または実施する予定のサービスであって、駐車料金に関するサービスの情報である顧客サービス情報を生成して管理サーバ２２に送信する（Ｓ２１１Ａ）。管理サーバ２２の顧客サービス情報受信部２２１は、顧客サービス情報を受信する（Ｓ２２１Ａ）。管理サーバ２２の一覧生成公開部２２２は、受信した顧客サービス情報に基づいて、対応する複数の店舗の顧客サービス情報の一覧を生成して駐車場サーバ２３−ｍに公開する（２２２Ａ）。なお、管理サーバ２２の一覧生成公開部２２２は、顧客サービス情報と共にこれに対応する店舗情報を受信した場合には、対応する複数の店舗の顧客サービス情報と店舗情報の一覧を生成して駐車場サーバ２３−ｍに公開する。また、管理サーバ２２の一覧生成公開部２２２は、顧客サービス情報と共にこれに対応する公開範囲情報を受信した場合には、公開範囲情報において指定されている駐車場サーバにのみ、一覧を公開する。
【００４４】
駐車場サーバ２３−ｍの一覧受信部２３１は、一覧を受信する（Ｓ２３１Ａ）。駐車場サーバ２３−ｍのアポイントメント情報生成送信部２３２は、一覧のうちの何れかの店舗（店舗サーバ２１−ｎに対応する店舗）とサービスチケットの売買に関するアポイントメントを要求する情報であるアポイントメント情報を生成して管理サーバ２２に送信する（Ｓ２３２Ａ）。管理サーバ２２のアポイントメント情報受信部２２３は、アポイントメント情報を受信する（Ｓ２２３Ａ）。管理サーバ２２のアポイントメント情報送信部２２４は、アポイントメント情報を対応する店舗サーバ２１−ｎに送信する（Ｓ２２４Ａ）。店舗サーバ２１−ｎのアポイントメント情報受信部２１２は、アポイントメント情報を受信する（Ｓ２１２Ａ）。店舗サーバ２１−ｎの承認情報生成送信部２１３は、アポイントメント情報を承認することを示す承認情報を生成して、管理サーバ２２に送信する（Ｓ２１３Ａ）。管理サーバ２２の承認情報受信部２２５は、承認情報を受信する（Ｓ２２５Ａ）。管理サーバ２２の承認情報送信部２２６は、駐車場サーバ２３−ｍに承認情報を送信する（Ｓ２２６Ａ）。駐車場サーバ２３−ｍの承認情報受信部２３３は、承認情報を受信する（Ｓ２３３Ａ）。
【００４５】
店舗サーバ２１−ｎのデータ記憶部２１０は、上記フローを実行して得られた顧客サービス情報、アポイントメント情報、承認情報などを適宜記憶する。管理サーバ２２の記憶部２２０は、上記フローを実行して得られた顧客サービス情報、その一覧、アポイントメント情報、承認情報などを適宜記憶する。駐車場サーバ２３−ｍの記憶部２３０は、上記フローを実行して得られた顧客サービス情報の一覧、アポイントメント情報、承認情報などを適宜記憶する。
【００４６】
＜ユーザへの情報表示＞
実施例１と同様に、管理サーバ２２の提携情報公開部２２７は、どの駐車場とどの店舗が提携関係にあるかを示す提携情報を本システムのユーザの端末（ユーザ端末）向けに公開してもよい。
【実施例３】
【００４７】
実施例１では駐車場サーバがサービスチケットの単価情報を提示したが、この反対に、店舗サーバがサービスチケットの単価情報を提示してもよい。図１３に示すように、実施例３の駐車場店舗マッチングシステム３は、複数の店舗のそれぞれに対応する複数の店舗サーバ３１−１，…，３１−Ｎ（Ｎは２以上の整数）と、管理サーバ３２と、複数の駐車場のそれぞれに対応する複数の駐車場サーバ３３−１，…，３３−Ｍ（Ｍは２以上の整数）を含む。店舗サーバ３１−ｎは、実施例１の駐車場サーバ１１−ｎと同じ構成（図３）を有する。店舗サーバ３１−ｎは、実施例１の駐車場サーバ１１−ｎと同じ動作を実行する（図６、図７、ステップＳ１１１Ａ〜Ｓ１１３Ａ，Ｓ１１１Ｂ〜Ｓ１１３Ｂ）。管理サーバ３２は、実施例１の管理サーバ１２と同じ構成（図４）を有する。管理サーバ３２は、実施例１の管理サーバ１２と同じ動作を実行する（図６、図７、ステップＳ１２１Ａ〜Ｓ１２６Ａ，Ｓ１２１Ｂ〜Ｓ１２６Ｂ）。駐車場サーバ３３は、実施例１の店舗サーバ１３と同じ構成（図５）を有する。駐車場サーバ３３は、実施例１の店舗サーバ１３と同じ動作を実行する（図６、図７、ステップＳ１３１Ａ〜Ｓ１３３Ａ，Ｓ１３１Ｂ〜Ｓ１３３Ｂ）。
【００４８】
なお本実施例において単価情報とは、店舗側が提示するサービスチケットの希望単価に関する情報である。また本実施例において契約情報とは、何れかの駐車場が何れかの店舗とサービスチケットの販売を契約する情報である。
【００４９】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００５０】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００５１】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００５２】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００５３】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００５４】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００５５】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００５６】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００５７】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2020187607.tif 000005
【図２】
2020187607.tif 000006
【図３】
2020187607.tif 000007
【図４】
2020187607.tif 000008
【図５】
2020187607.tif 000009
【図６】
2020187607.tif 000010
【図７】
2020187607.tif 000011
【図８】
2020187607.tif 000012
【図９】
2020187607.tif 000013
【図１０】
2020187607.tif 000014
【図１１】
2020187607.tif 000015
【図１２】
2020187607.tif 000016
【図１３】
2020187607.tif 000017